(57)【要約】【課題】  紛失した無線機の送受信待機状態が引き起こす可能性のある様々な問題を解消することができる無線機を提供する。【解決手段】  第２の無線機２００を紛失してしまった場合、第１の無線機１００から第２の無線機２００に対して送受信停止コマンドを送信して、第２の無線機２００に対して当該無線機２００自身の電源２４０を停止させ、それによって第２の無線機２００の送受信機能を停止させる。【選択図】      図１
2006129040.tif 000002
【特許請求の範囲】
【請求項１】
無線通信により他の無線機からデータを受信するデータ受信手段と、
受信した前記データに応じた処理を実行するデータ処理手段と、
前記データ処理手段の指示により自機の電源からの出力を遮断することができる電源制御手段と、を備えており、
前記データ処理手段は、前記データ受信手段が受信した前記データが送受信の停止を指示する場合に、前記電源制御手段に電源からの出力の遮断を行わせるように構成されている、
無線機。
【請求項２】
無線通信により前記他の無線機にデータを送信するデータ送信手段を更に備えており、
前記データ処理手段は、前記電源制御手段に電源からの出力の遮断を行う指示を出力する場合に、前記データ送信手段から前記他の無線機に送受信の停止を行う旨の通知を行うように構成されている、
請求項１記載の無線機。
【請求項３】
前記データが無線機を識別するための識別データを含んでおり、
自機を識別するための識別データが格納された識別データ格納手段を更に備えており、
前記データ処理手段は、前記データ受信手段が受信した前記データが自機の前記識別データを含むか否かを前記識別データ格納手段を参照して確認するとともに、前記データが自機の前記識別データを含む場合にのみ当該データに応じた処理を実行するように構成されている、
請求項１記載の無線機。
【請求項４】
無線通信により前記他の無線機にデータを送信するデータ送信手段を更に備えており、
前記データ処理手段は、前記データ受信手段が受信した前記データが自機の前記識別データを含み且つ自機の送受信の停止を指示する場合に、前記電源制御手段に電源からの出力の遮断を行う指示を出力するとともに、前記データ送信手段から前記他の無線機に送受信の停止を行う旨の通知を行うように構成されている、
請求項３記載の無線機。
【請求項５】
無線通信によりデータを送信する第１の無線機と、
無線通信により前記第１の無線機から前記データを受信する１又は複数の第２の無線機と、を備える無線システムであって、
前記第２の無線機は、
自装置を識別するための識別データを格納する識別データ格納手段と、
前記データに応じて所定の処理を実行するデータ処理手段と、
前記データ処理手段の指示により自機の電源からの出力を遮断することができる電源制御手段と、を備えており、
前記第１の無線機は、
すべての第２の無線機の各々の識別データを格納する格納手段と、
前記第２の無線機に実行させる処理を表す前記データを、当該第２の無線機の識別データを含めて生成するデータ生成手段と、を備えており、
前記第２の無線機の前記データ処理手段は、前記識別データ格納手段を参照して前記第１の無線機から送信された前記データに含まれる識別データが自機の識別データと同じか否かを確認し、同じ場合で且つ前記データが自機の送受信の停止を指示する場合に、前記電源制御手段に電源からの出力の遮断を行う指示を出力するように構成されている、
無線システム。
【請求項６】
前記第２の無線機は、
前記第１の無線機に返信データを送信するデータ送信手段を更に備えており、
前記データ処理手段は、前記電源制御手段に電源からの出力の遮断を行う指示を出力する場合に、前記データ送信手段から前記第１の無線機に送受信の停止を行う旨の通知を行うように構成されている、
請求項５記載の無線システム。
【請求項７】
前記データ処理手段は、前記データに含まれる識別データが自機の識別データと同じであり、前記データが自機の送受信の停止を指示するものである場合に、前記第１の無線機に、前記データ送信手段を介して自機の送受信の停止を指示しているか否かを確認するように構成されており、
前記第１の無線機の前記データ生成手段は、当該第２の無線機の送受信の停止をするか否かを通知するように構成されている、
請求項６記載の無線システム。
【請求項８】
複数の無線機が互いに無線通信を行うことができる無線システムであって、
前記無線機は、
無線通信により他の無線機との間でデータを送受信するデータ送受信手段と、
自機を識別するための識別データ及び他のすべての無線機を識別するための識別データが格納された識別データ格納手段と、
前記データ送受信手段で受信したデータに応じて所定の処理を実行するデータ処理手段と、
前記他の無線機に実行させる処理を指示するデータを生成するデータ生成手段と、
前記データ処理手段の指示により自機の電源からの出力を遮断することができる電源制御手段と、を備えており、
前記データ生成手段は、送受信を停止させたい無線機の識別データを前記識別データ格納手段から取り込み、取り込んだ識別データを含ませて当該無線機に送受信の停止を指示するデータを生成して、このデータを前記データ送受信手段から当該無線機に送信させるように構成されており、
前記データ処理手段は、前記データ送受信手段が受信した前記データが自機の送受信の停止を指示する場合に、このデータに含まれる識別データが自機のものであるか否かを前記識別データ格納手段を参照して確認し、自機のものである場合にのみ、前記電源制御手段に電源からの出力の遮断を行う指示を出力するように構成されている、
無線システム。
【請求項９】
無線通信により他の無線機に対してデータを送信可能な第１の無線機と、
各々を識別するための識別データが付されており、前記第１の無線機から受信したデータに基づいて、当該データが指示する処理を実行する１又は複数の第２の無線機と、を備えたシステムにより実行される方法であって、
前記第１の無線機が、
所定の第２の無線機の識別データを含ませて、当該第２の無線機に送受信の停止を指示するデータを生成する段階と、
生成した前記データを当該第２の無線機に送信する段階と、
前記第２の無線機が、
前記第１の無線機から送信された前記データを受信する段階と、
当該データに含まれる識別データが自機の識別データか否かを確認する段階と、
当該データに含まれる識別データが自機の識別データである場合に、自機の電源からの出力の遮断を行う段階と、を含む、
無線機の遠隔操作方法。
【請求項１０】
前記第１の無線機が前記第２の無線機からデータを受信可能であるとともに、前記第２の無線機が前記第１の無線機にデータを送信可能である場合に、
前記第２の無線機が、
自機の電源からの出力の遮断を行う際に、前記第１の無線機に送受信の停止を行う旨の通知を行う段階を更に含む、
請求項９記載の無線機の遠隔操作方法。
【請求項１１】
他の無線機に対してデータの送受信が可能な第１の無線機と、
各々を識別するための識別データが付され、前記第１の無線機との間でデータの送受信が可能であり、前記第１の無線機から受信したデータに基づいて、当該データが指示する処理を実行する１又は複数の第２の無線機と、を備えたシステムにより実行される方法であって、
前記第１の無線機が、
所定の第２の無線機の識別データを含み、当該第２の無線機に送受信の停止を指示するデータを生成する段階と、
生成した前記データを当該第２の無線機に送信する段階と、
前記第２の無線機が、
前記第１の無線機から送信された前記データを受信する段階と、
当該データに含まれる識別データが自機の識別データか否かを確認する段階と、
当該データに含まれる識別データが自機の識別データである場合に、前記第１の無線機に、送受信を停止してよいかを通知する段階と、
前記第１の無線機が、
前記第２の無線機から送受信を停止してよいかの通知を受け取ると、停止してよいか否かを回答する段階と、
前記第２の無線機が、
前記第１の無線機からの回答が、停止してよいことを表す場合に自機の電源からの出力の遮断を行う段階と、を含む、
無線機の遠隔操作方法。
【請求項１２】
コンピュータに、
無線通信により他の無線機からデータを受信するデータ受信手段と、
受信した前記データに応じた処理を実行するデータ処理手段と、
前記データ処理手段の指示により自機の電源からの出力を遮断することができる電源制御手段と、を構築し、
前記データ処理手段に、前記データ受信手段が受信した前記データが送受信の停止を指示する場合に、前記電源制御手段に電源からの出力の遮断を行う指示を出力するようにさせるための、
コンピュータプログラム。
【発明の詳細な説明】
【技術分野】
【０００１】
本発明は、無線機に関し、特に遠隔操作により動作を制御することができる無線機に関する。
【背景技術】
【０００２】
近年、キーレスエントリシステムに代表されるようなＲＦＩＤ（Radio Frequency Identification）システムが多く利用されている。このようなシステムでは、小型で携帯可能な無線機により、機器間の通信が行われる。
【０００３】
このようなシステムで行われる機器間の通信では、１個の親局に対して１個の子局が通信可能な１：１の通信だけでなく、１個の親局に対してｎ個の子局が通信可能な１：ｎの通信も行われる。
【０００４】
１：ｎの通信を行うシステムの場合には、他の子局との干渉等を防ぐべく、各無線機に固有のチャネルが割り当てられることが多い。チャネル割り当て技術としては、周波数分割多重技術や時分割多重技術などもあるが、最近では、無線機により遠隔操作機能などを実装するために、スペクトラム拡散技術を用いる場合も増えてきている。
【発明の開示】
【発明が解決しようとする課題】
【０００５】
ＲＦＩＤシステムでは、システムにおいて用いられる小型無線機を紛失することが少なくない。紛失された無線機の電源が入っていた場合、無線機のバッテリがなくなるまで当該無線機は実際には使用されないにもかかわらず送受信待機状態となり、不要輻射・副次発射を出し続けることとなる。しかも、近年の低消費電力化により、この無駄な送受信待機状態は相当な時間に及ぶものと予想される。送受信待機状態で紛失した無線機により、以下のような問題が発生する。
【０００６】
紛失された無線機には、上述のように固有のチャネルが割り当てられている。スペクトラム拡散技術を利用したシステムの場合、各無線機には固有の拡散符号が割り当てられている。この拡散符号の数は有限であるので、無線機の紛失に伴い利用可能なチャネル数が減少することになる。
【０００７】
加えて、親局には子局の拡散符号が保持されているが、子局の変更に伴い、その保持している拡散符号の変更も余儀なくされる。この場合において、親局の構成や設置場所などによっては、拡散符号の変更処理が容易でないこともある。
【０００８】
本発明は、これらの従来の問題点を鑑みてなされたものであり、紛失時のように、送受信待機状態で且つ使用できない状態にある場合でも、送受信待機状態を解消することが可能な無線機を提供することを課題とする。
【課題を解決するための手段】
【０００９】
上記のような課題を解決する本発明の無線機は、無線通信により他の無線機からデータを受信するデータ受信手段と、受信した前記データに応じた処理を実行するデータ処理手段と、前記データ処理手段の指示により自機の電源からの出力を遮断することができる電源制御手段と、を備えており、前記データ処理手段は、前記データ受信手段が受信した前記データが送受信の停止を指示する場合に、前記電源制御手段に電源からの出力の遮断を行わせるように構成されている。
【００１０】
電源の出力を遮断することで無線機自体の動作をすべて停止させる。これにより送受信待機状態も解消され、送受信待機状態にあることで発生する様々な問題を解決することができる。
【００１１】
このような無線機は、無線通信により前記他の無線機にデータを送信するデータ送信手段を更に備えて構成されてもよい。このような構成の場合には、前記データ処理手段が、例えば前記電源制御手段に電源からの出力の遮断を行う指示を出力する場合に、前記データ送信手段から前記他の無線機に送受信の停止を行う旨の通知を行うように構成される。このような構成により、第２の無線機から第１の無線機に対して送受信待機状態の解消が通知される。第１の無線機のユーザは、第２の無線機からの通知により、処理が的確に行われたことを知ることができる。
【００１２】
また、本発明の無線機は、前記データが無線機を識別するための識別データを含んでいる場合には、自機を識別するための識別データが格納された識別データ格納手段を更に備えて構成されてもよい。このような構成の場合には、前記データ処理手段が、例えば前記データ受信手段が受信した前記データが自機の前記識別データを含むか否かを前記識別データ格納手段を参照して確認するとともに、前記データが自機の前記識別データを含む場合にのみ当該データに応じた処理を実行するように構成される。このような構成により、第２の無線機は、自機以外の無線機へのデータであった場合などによる誤動作を防止できる。
無線通信により前記他の無線機にデータを送信するデータ送信手段を更に備える場合には、前記データ処理手段が、前記データ受信手段が受信した前記データが自機の前記識別データを含み且つ自機の送受信の停止を指示する場合に、前記電源制御手段に電源からの出力の遮断を行う指示を出力するとともに、前記データ送信手段から前記他の無線機に送受信の停止を行う旨の通知を行うように構成される。
【００１３】
本発明の無線システムは、例えば以下のように構成することができる。この無線システムは、無線通信によりデータを送信する第１の無線機と、無線通信により前記第１の無線機から前記データを受信する１又は複数の第２の無線機と、を備える無線システムである。前記第２の無線機は、自装置を識別するための識別データを格納する識別データ格納手段と、前記データに応じて所定の処理を実行するデータ処理手段と、前記データ処理手段の指示により自機の電源からの出力を遮断することができる電源制御手段と、を備えており、前記第１の無線機は、すべての第２の無線機の各々の識別データを格納する格納手段と、前記第２の無線機に実行させる処理を表す前記データを、当該第２の無線機の識別データを含めて生成するデータ生成手段と、を備えている。前記第２の無線機の前記データ処理手段は、前記識別データ格納手段を参照して前記第１の無線機から送信された前記データに含まれる識別データが自機の識別データと同じか否かを確認し、同じ場合で且つ前記データが自機の送受信の停止を指示する場合に、前記電源制御手段に電源からの出力の遮断を行う指示を出力するように構成される。
このような構成の無線システムでは、第１の無線機からすべての第２の無線機の送受信待機状態を解消することができる。
【００１４】
このような無線システムにおいて、前記第２の無線機が、前記第１の無線機に返信データを送信するデータ送信手段を更に備えて構成されてもよい。このような構成では、前記データ処理手段が、例えば前記電源制御手段に電源からの出力の遮断を行う指示を出力する場合に、前記データ送信手段から前記第１の無線機に送受信の停止を行う旨の通知を行うように構成される。
また、前記データ処理手段を、前記データに含まれる識別データが自機の識別データと同じであり、前記データが自機の送受信の停止を指示するものである場合に、前記第１の無線機に、前記データ送信手段を介して自機の送受信の停止を指示しているか否かを確認するように構成してもよい。第２の無線機がこのような構成で、前記第１の無線機の前記データ生成手段が、当該第２の無線機の送受信の停止をするか否かを通知するように構成されると、第２の無線機から第１の無線機に対して、本当に送受信待機状態を解消するか否かを尋ねることができ、ヒューマンエラーによる誤動作の防止につながる。
【００１５】
本発明の他の無線システムは、複数の無線機が互いに無線通信を行うことができる無線システムであって、前記無線機が、無線通信により他の無線機との間でデータを送受信するデータ送受信手段と、自機を識別するための識別データ及び他のすべての無線機を識別するための識別データが格納された識別データ格納手段と、前記データ送受信手段で受信したデータに応じて所定の処理を実行するデータ処理手段と、前記他の無線機に実行させる処理を指示するデータを生成するデータ生成手段と、前記データ処理手段の指示により自機の電源からの出力を遮断することができる電源制御手段と、を備えて構成される。前記データ生成手段は、送受信を停止させたい無線機の識別データを前記識別データ格納手段から取り込み、取り込んだ識別データを含ませて当該無線機に送受信の停止を指示するデータを生成して、このデータを前記データ送受信手段から当該無線機に送信させるように構成され、前記データ処理手段は、前記データ送受信手段が受信した前記データが自機の送受信の停止を指示する場合に、このデータに含まれる識別データが自機のものであるか否かを前記識別データ格納手段を参照して確認し、自機のものである場合にのみ、前記電源制御手段に電源からの出力の遮断を行う指示を出力するように構成される。
このような構成の無線システムでは、いずれの無線機からも、他の無線機の送受信待機状態を解消することができる。
【００１６】
本発明の無線機の遠隔操作方法は、無線通信により他の無線機に対してデータを送信可能な第１の無線機と、各々を識別するための識別データが付されており、前記第１の無線機から受信したデータに基づいて、当該データが指示する処理を実行する１又は複数の第２の無線機と、を備えたシステムにより実行される方法であって、前記第１の無線機が、所定の第２の無線機の識別データを含ませて、当該第２の無線機に送受信の停止を指示するデータを生成する段階と、生成した前記データを当該第２の無線機に送信する段階と、前記第２の無線機が、前記第１の無線機から送信された前記データを受信する段階と、当該データに含まれる識別データが自機の識別データか否かを確認する段階と、当該データに含まれる識別データが自機の識別データである場合に、自機の電源からの出力の遮断を行う段階と、を含む。
【００１７】
このような無線機の遠隔操作方法において、前記第１の無線機が前記第２の無線機からデータを受信可能であるとともに、前記第２の無線機が前記第１の無線機にデータを送信可能である場合には、前記第２の無線機が、自機の電源からの出力の遮断を行う際に、前記第１の無線機に送受信の停止を行う旨の通知を行う段階を更に含むようにしてもよい。
【００１８】
本発明の他の無線機の遠隔操作方法は、他の無線機に対してデータの送受信が可能な第１の無線機と、各々を識別するための識別データが付され、前記第１の無線機との間でデータの送受信が可能であり、前記第１の無線機から受信したデータに基づいて、当該データが指示する処理を実行する１又は複数の第２の無線機と、を備えたシステムにより実行される方法であって、前記第１の無線機が、所定の第２の無線機の識別データを含み、当該第２の無線機に送受信の停止を指示するデータを生成する段階と、生成した前記データを当該第２の無線機に送信する段階と、前記第２の無線機が、前記第１の無線機から送信された前記データを受信する段階と、当該データに含まれる識別データが自機の識別データか否かを確認する段階と、当該データに含まれる識別データが自機の識別データである場合に、前記第１の無線機に、送受信を停止してよいかを通知する段階と、前記第１の無線機が、前記第２の無線機から送受信を停止してよいかの通知を受け取ると、停止してよいか否かを回答する段階と、前記第２の無線機が、前記第１の無線機からの回答が、停止してよいことを表す場合に自機の電源からの出力の遮断を行う段階と、を含む。
【００１９】
本発明のコンピュータプログラムは、コンピュータに、無線通信により他の無線機からデータを受信するデータ受信手段と、受信した前記データに応じた処理を実行するデータ処理手段と、前記データ処理手段の指示により自機の電源からの出力を遮断することができる電源制御手段と、を構築し、前記データ処理手段に、前記データ受信手段が受信した前記データが送受信の停止を指示する場合に、前記電源制御手段に電源からの出力の遮断を行う指示を出力するようにさせるためのコンピュータプログラムである。
【発明の効果】
【００２０】
本発明によれば、無線機の送受信機能を、電源からの出力を遮断させることで停止させることが可能となる。これによりチャネルが一つ開放され、新規に追加する無線機に対して、紛失した無線機に割り当てられていたチャネルを割り当てなおすことが可能となる。そのためにシステムリソースの有効活用が可能となる。
【発明を実施するための最良の形態】
【００２１】
以下、本発明の実施形態を図面を参照しつつ説明する。
【００２２】
図１は、本発明の無線システムを２個の無線機により構成した例を示す図であり、第１の無線機１００及び第２の無線機２００を備えている。第１の無線機１００及び第２の無線機２００は同一の構成を有している。図１において、各無線機における各構成要素には百の位の数字を除いて同じ数字を有する参照符号が付されている。
【００２３】
第１の無線機１００は、データ送受信部１１０、データ処理部１２０、電源制御部１３０、電源１４０、入出力部１５０、データ生成部１６０、及びメモリ１７０を備えている。第２の無線機２００は、データ送受信部２１０、データ処理部２２０、電源制御部２３０、電源２４０、入出力部２５０、データ生成部２６０、及びメモリ２７０を備えている。これらの構成は、例えば、汎用のプロセッサが本発明のコンピュータプログラムを実行することでも実現可能である。ここでは、第１の無線機１００の構成について説明し、第２の無線機２００の構成の説明は省略する。
【００２４】
データ送受信部１１０は、データの送受信に伴う変調・復調やスペクトラム拡散通信における拡散・逆拡散処理などを行い、第１及び第２の無線機１００，２００間において無線通信を行うものである。データ送受信部１１０は、無線通信により第２の無線機２００との間で互いにデータを送受信する。なお、データ送受信部１１０は、送信部と受信部とを別々に設けるようにしてもよい。
【００２５】
データ処理部１２０は、データ送受信部１１０にて受信したデータ、特に、受信したコマンド（命令）に応じた処理を実行するものである。データ処理部１２０は、データ送受信部１１０にて受信したデータに基づいてメモリ１７０に格納されている種々のデータの参照、処理を行うものである。また、電源制御部１３０、入出力部１５０、及びデータ生成部１６０の制御を行うものである。特に、電源１４０を停止する必要がある場合にデータ処理部１２０は、電源制御部１３０に対して電源停止信号を出力する。
【００２６】
電源制御部１３０は、データ処理部１２０から電源停止信号を受けると電源１４０を停止して、電源１４０からの出力を遮断するものである。電源１４０は第１の無線機１００のすべての構成要素に対して電力を供給しているものである。電源１４０は、電源制御部１３０により、電力の供給を遮断可能に構成されている。電源１４０からの電力の供給が遮断されると、第１の無線機１００は、送受信機能を含むすべての機能が停止するようになる。
【００２７】
入出力部１５０は、ブザー、スピーカ、ディスプレイ等の出力機構と、ボタンなどの入力機構とからなるユーザインタフェースである。入出力部１５０はデータ処理部１２０により制御されており、出力機構を介して情報をユーザに伝達したり、入力機構によりユーザから入力された情報をデータ処理部１２０に伝達するように構成されている。
【００２８】
データ生成部１６０は、メモリ１７０に格納されている各種データに基づいて送信データを生成するものである。生成された送信データは、データ送受信部１１０を介して、相手方となる第２の無線機２００に対して送信される。
【００２９】
メモリ１７０にはＩＤ格納部１７１、メッセージデータ格納部１７３、及びコマンドテーブル１７５等の記憶領域が形成されている。ＩＤ格納部１７１には自機のＩＤが格納される自機ＩＤ領域と相手方無線機のＩＤが格納される他機ＩＤ領域とが設けられている。すなわち、第１の無線機１００のＩＤ格納部１７１には、自機のＩＤが自機ＩＤ領域に格納され、相手方である第２の無線機２００のＩＤが他機ＩＤ領域に格納される。第２の無線機２００のＩＤ格納部２７１には、自機のＩＤが自機ＩＤ領域に格納され、相手方である第１の無線機１００のＩＤが他機ＩＤ領域に格納される。ＩＤは、例えば無線機の製造番号など、各無線機を識別可能な無線機固有のものとする。メッセージデータ格納部１７３には、送受信を停止する旨を通知する通知メッセージなどの無線機のユーザに対する各種メッセージが格納されている。コマンドテーブル１７５には、送受信停止コマンドなどの無線機内で実行される各種コマンドが格納されている。
【００３０】
かかる構成を備える第１の無線機１００は、同様の構成を有する第２の無線機２００と無線通信を行うことで、例えば図２の処理流れ図に示されるようにして動作する。図２は、第２の無線機２００の送受信機能を、第１の無線機１００から、第２の無線機２００の電源２４０を遮断させることで停止させる処理を示している。
【００３１】
例えば第２の無線機２００の所在が不明となったために第２の無線機２００の機能、特に送受信の機能を停止させる必要があると判断したユーザは、第１の無線機１００の入出力部１５０から、第２の無線機２００の送受信停止を指示する。第１の無線機１００のデータ処理部１２０は、入出力部１５０を介してユーザの指示を受け付けると、データ生成部１６０に対して、送受信停止コマンド及び第２の無線機２００のＩＤの送出を指示する。データ生成部１６０は、メモリ１７０を参照して、送受信停止コマンド、第２の無線機２００のＩＤ及び自機のＩＤを取得し、それに基づいて送信データを生成する。このようにして生成された送信データには、送信元、送信先のＩＤ、及び送信先の無線機に実行させる処理が含まれる。生成された送信データは、データ送受信部１１０を介して第２の無線機２００に送信される（ステップＳ１０１）。
【００３２】
第２の無線機２００のデータ送受信部２１０は、第１の無線機１００のデータ送受信部１１０から送信されてきた送信データを受信する。受信された送信データは、データ送受信部２１０からデータ処理部２２０に送られる（ステップＳ２０１）。
【００３３】
第２の無線機２００のデータ処理部２２０は、メモリ２７０のコマンドテーブル２７５を参照して、受信した送信データに含まれるコマンドが送受信停止コマンドであることを確認するとともに、送信データに含まれるＩＤをチェックしてコマンドの正当性についての検証を行う（ステップＳ２０２）。具体的には、送信データに含まれて送られてきたＩＤを、データ処理部２００が、メモリ２７０のＩＤ格納部２７１の自機ＩＤ領域に格納されている自機のＩＤ（第２の無線機２００のＩＤ）と比較して、一致するか否かを判定することでコマンドの正当性を検証する。
【００３４】
ステップＳ２０２における判定の結果、ＩＤが一致しない場合、送信データに含まれるコマンドには正当性がないとして、第２の無線機２００は当該コマンドを無視する（ステップＳ２０３）。
【００３５】
ＩＤが一致した場合、第２の無線機２００のデータ処理部２２０は、データ生成部２６０に、データ送受信部２１０を介して「送受信を停止する」旨の通知メッセージを第１の無線機１００に対して送出させる（ステップＳ２０４）。データ処理部２２０は、ＩＤのチェックの際に送信データに含まれるＩＤとＩＤ格納部２７１に格納されるＩＤとを比較するが、送信データには、第２の無線機２００のＩＤの他に、送信元である第１の無線機１００のＩＤも含まれているので、ＩＤのチェックにより送信元の無線機のＩＤ（この実施形態では第１の無線機１００のＩＤ）もわかるようになっている。データ生成部２６０は、メモリ２７０のメッセージデータ格納部２７３から当該通知メッセージを読み出し、これに送信元の無線機のＩＤ（この実施形態では第１の無線機１００のＩＤ）を付して、データ送受信部２１０を介して第１の無線機１００に送出する。
【００３６】
次いで、データ処理部２２０は、電源制御部２３０に対して電源停止信号を出力する。電源制御部２３０は、電源停止信号が入力されると第２の無線機２００の電源２４０からの出力を遮断する（ステップＳ２０５）。電源２４０からの出力を遮断することにより、第２の無線機２００の全機能が停止する。
【００３７】
第１の無線機１００のデータ処理部１２０は、データ送受信部１１０を介して、第２の無線機２００から送られてきた通知メッセージを受信する（ステップＳ１０２）。受信した通知メッセージは、データ処理部１２０へ送られる。データ処理部１２０は、通知メッセージに付されたＩＤが自機のＩＤであるか否かをメモリ１７０のＩＤ格納部１７１を参照して確認する。確認の結果、通知メッセージに付されたＩＤが自機のＩＤと異なる場合は、通知メッセージを無視するが、合致する場合には、入出力部１５０の出力機構を用いて通知メッセージの内容をユーザに報告する（ステップＳ１０３）。ユーザはこれにより第２の無線機２００が機能停止したことを知ることになる。
【００３８】
以上の処理において、第２の無線機２００は第１の無線機１００に対して通知メッセージを送信するとともに、自機の電源２４０の出力を遮断して送受信機能の停止を行っていた。この他に、図３の処理手順図に示すように、送受信停止コマンドの発行の誤操作を防止する目的で、実際に第２の無線機２００の送受信機能を停止する前に、第１の無線機１００に対して第２の無線機２００から問い合わせを行うようにしても良い。
【００３９】
ステップＳ１１１〜ステップＳ２１３までは、図２のステップＳ１０１〜ステップＳ２０３と同様の処理の流れであるので説明を省略する。
ステップＳ２１２においてＩＤが一致した場合、データ処理部２２０は、データ生成部２６０に「送受信を停止して良いか？」を内容とする質問メッセージを第１の無線機１００に対して送出させる（ステップＳ２１４）。データ処理部２２０は、ＩＤのチェックの際に送信データに含まれるＩＤとＩＤ格納部２７１に格納されるＩＤとを比較するが、送信データには、第２の無線機２００のＩＤの他に、送信元である第１の無線機１００のＩＤも含まれているので、ＩＤのチェックにより送信元の無線機のＩＤ（この実施形態では第１の無線機１００のＩＤ）もわかるようになっている。データ生成部２６０は、メモリ２７０のメッセージデータ格納部２７３から当該質問メッセージを読み出し、これに送信元の無線機のＩＤ（この実施形態では第１の無線機１００のＩＤ）を付して、データ送受信部２１０を介して第１の無線機１００に送出する。第１の無線機１００に質問メッセージを送信すると、第２の無線機２００は、それに対する回答待ちの状態になる。
【００４０】
第１の無線機１００のデータ処理部１２０は、データ送受信部１１０を介して、第２の無線機２００から送られてきた質問メッセージを受信する（ステップＳ１１２）。受信した質問メッセージは、データ処理部１２０へ送られる。データ処理部１２０は、質問メッセージに付されたＩＤが自機のＩＤであるか否かをメモリ１７０のＩＤ格納部１７１を参照して確認する。確認の結果、質問メッセージに付されたＩＤが自機のＩＤと異なる場合は、質問メッセージを無視するが、合致する場合には、入出力部１５０の出力機構を用いて質問メッセージの内容をユーザに報告する。これにより、ユーザに対して当該問い合わせに対する確認を促す（ステップＳ１１３）。なお、確認を促す方法としては、ディスプレイへのメッセージの表示や、単にブザーを鳴らすなどの様々な方法が考えられる。
【００４１】
ユーザは、入力機構から質問メッセージに対する回答を入力する。ユーザから回答が入力されると、データ処理部１２０はその内容を判断する（ステップＳ１１４）。データ処理部１２０は、ユーザからの回答が、送受信停止コマンドの発行が誤りであったことを表す場合、ＮＧ回答を送信するようにデータ生成部１６０を制御する（ステップＳ１１５）。ユーザからの回答が、送受信停止コマンドの発行が正当であったことを表す場合（即ち、ユーザが第２の無線機２００の送信出力機能の停止を望んでいる場合）、データ処理部１２０は、ＯＫ回答を送信するようにデータ生成部１６０を制御する（ステップＳ１１６）。これらの回答は、データ送受信部１１０を介して第２の無線機２００に送られる。
【００４２】
第２の無線機２００のデータ処理部２２０は、データ送受信部２１０を介して、第１の無線機１００からの回答を受信すると（ステップＳ２１５）、その回答内容を判断する（ステップＳ２１６）。ＮＧ回答であった場合に、データ処理部２２０は、先に受信した送受信停止コマンドが誤りであったとして処理を終了する（ステップＳ２１７）。
【００４３】
受信した回答がＯＫ回答であった場合に、データ処理部２２０は、「送受信を停止する」旨の通知メッセージを、データ生成部２６０から第１の無線機１００に対して送出させる（ステップＳ２１８）。ステップＳ２１８、Ｓ２１９、Ｓ１１７、Ｓ１１８の処理の流れは、図２のステップＳ２０４。Ｓ２０５、Ｓ１０２、Ｓ１０３の処理の流れと同じなので、ここでは説明を省略する。
【００４４】
なお、上述した実施の形態においては、説明を簡単にするため、１：１の無線システムについて説明してきたが、１：ｎの無線システムにも適用可能である。例えば、図４に示すような構成である。図４は、１つの親局４００に対して複数の子局４１０が無線通信によりデータの送受が可能なように設けられた無線システムである。親局４００、子局４１０は、いずれも図１の第１の無線機１００の構成をそのまま使えるようになっている。第１の無線機１００と異なる点は、メモリ１７０のＩＤ格納部１７１に格納されるＩＤである。
【００４５】
図４の無線システムでは、親局４００のメモリのＩＤ格納部の他機ＩＤ領域には、すべての子局４１０のＩＤが格納されている。子局４１０にコマンドが送出される際には、当該子局４１０のＩＤが他機ＩＤ領域から検索されて、当該コマンドに付されるようになっている。子局４１０のメモリのＩＤ格納部の他機ＩＤ領域には、親局４００のＩＤのみが格納されている。これによりコマンドを受信した際に、親局４００からのコマンドか否かが確認できる。親局４００から子局４１０へコマンドを送出する際は、図１と基本的には同じ構成であるので、上記実施の形態にて説明した方法を何ら変形することなく適用することができる。
【００４６】
また、親局を設けずに３個の無線機を用いた無線システムにも適用可能である。この場合には、各無線機のＩＤ格納部１７１の他機ＩＤ領域に、自機を除くすべての無線機のＩＤが格納される。このような構成では、いずれの無線機からも他の無線機の送受信を停止することが可能となる。動作自体は２個の無線機間で行われるので図１、２、３と同様の構成、処理となる。
【００４７】
このような無線機は、ＲＦＩＤシステムをはじめとする各種無線システムに適用することが可能である。
【図面の簡単な説明】
【００４８】
【図１】本実施形態によるシステムの概略構成を示す図である。
【図２】本実施形態による処理手順を示す図である。
【図３】本実施形態による他の処理手順を示す図である。
【図４】１：ｎの無線システムの構成を示す図。
【符号の説明】
【００４９】
１００  第１の無線機
１１０  データ送受信部
１２０  データ処理部
１３０  電源制御部
１４０  電源
１５０  入出力部
１６０  データ生成部
１７０  メモリ
１７１  ＩＤ格納部
１７３  メッセージデータ格納部
１７５  コマンドテーブル
２００  第２の無線機
２１０  データ送受信部
２２０  データ処理部
２３０  電源制御部
２４０  電源
２５０  入出力部
２６０  データ生成部
２７０  メモリ
２７１  ＩＤ格納部
２７３  メッセージデータ格納部
２７５  コマンドテーブル
４００  親局
４１０  子局
【図１】
2006129040.tif 000003
【図２】
2006129040.tif 000004
【図３】
2006129040.tif 000005
【図４】
2006129040.tif 000006